(57)【要約】【課題】カラー受像管に衝撃が負荷された場合にも色むらや色ずれが生じないようにする。【解決手段】カラー受像管において、マスクが設けられたフレーム６をパネル１内面の所定位置に維持するための支持方法として、パネル１に固着されたスタッドピン９を介して結合された板状弾性体８と、フレーム６に固着された板状弾性体１１、およびそれらの間に板状弾性体１０を設け、板状弾性体１０の一部に板状弾性体８の方向に突出した曲げ部を設け、曲げ部と板状弾性体８の斜面との間に１．０ｍｍ以下の隙間を設け、板状弾性体１０の先端部と板状弾性体１１との間に１．０ｍｍ以下の隙間を設けた。【選択図】        図１
2004192997.tif 000002
【特許請求の範囲】
【請求項１】
第１の構造体と第２の構造体とを連結する連結装置であって、
第１の構造体と連結し、一端及び他端を有する第１の連結部と、
第２の構造体と連結し、一端及び他端を有し、一端と他端との間に所定の方向に突出している突出部分を有する第２の連結部とを有し、
第１の連結部の一端と第２の連結部の一端とが固着され、第２の連結部の他端が第１の連結部の他端から所定距離の位置に配置され、
第２の連結部の突出部分が第１の連結部の方向に突出し、第１の連結部の特定の部分から第２の連結部の突出部分までの距離が第１の連結部の他端から第２の連結部の他端までの距離の１０分の１以下となるように第１の連結部と第２の連結部とが配置されていることを特徴とする連結装置。
【請求項２】
前記連結装置は、
第１の連結部のうちの第２の連結部の突出部分に最も近い部分から第２の連結部の突出部分までの距離が第１の連結部の他端から第２の連結部の他端までの距離の１０分の１以下となるように第１の連結部と第２の連結部とが配置されていること特徴とする請求項１に記載の連結装置。
【請求項３】
前記連結装置は、
第１の連結部のうちの第２の連結部の突出部分に最も近い部分から第２の連結部の突出部分までの距離が１．０ｍｍ以下となるように第１の連結部と第２の連結部とが配置されていること特徴とする請求項２に記載の連結装置。
【請求項４】
前記連結装置は、
第１の連結部のうちの第２の連結部の突出部分に最も近い部分と第２の連結部の突出部分とが固着されることなく接触するように第１の連結部と第２の連結部とが配置されていること特徴とする請求項２に記載の連結装置。
【請求項５】
前記連結装置は、
第２の連結部の一端から第２の構造体までの距離が第１の連結部の他端から第２の連結部の他端までの距離の１０分の１以下であることを特徴とする請求項１に記載の連結装置。
【請求項６】
前記連結装置は、
第２の連結部の一端から第２の構造体までの距離が１．０ｍｍ以下であることを特徴とする請求項５に記載の連結装置。
【請求項７】
前記連結装置は、
第２の連結部の一端と第２の構造体とが固着されることなく接触していることを特徴とする請求項５に記載の連結装置。
【請求項８】
第２の連結部は、第２の連結部の他端に固着した板状弾性体を介して第２の構造体と連結しており、
第２の連結部の一端から板状弾性体までの距離が第１の連結部の他端から第２の連結部の他端までの距離の１０分の１以下であることを特徴とする請求項１に記載の連結装置。
【請求項９】
前記連結装置は、
第２の連結部の一端から板状弾性体までの距離が１．０ｍｍ以下であることを特徴とする請求項８に記載の連結装置。
【請求項１０】
前記連結装置は、
第２の連結部の一端と板状弾性体とが固着されることなく接触していることを特徴とする請求項８に記載の連結装置。
【請求項１１】
第１の連結部及び第２の連結部のうちの少なくともいずれか一つが、板状弾性体であることを特徴とする請求項１に記載の連結装置。
【請求項１２】
前記連結装置は、受像管のパネルとフレームとを連結し、
第１の連結部は、第１の構造体としてパネルに連結し、
第２の連結部は、第２の構造体としてフレームに連結していることを特徴とする請求項１に記載の連結装置。
【請求項１３】
第１の構造体と連結し一端及び他端を有する第１の連結部と、
第２の構造体と連結し一端及び他端を有するとともに一端と他端との間に所定の方向に突出している突出部分を有する第２の連結部とを用いて第１の構造体と第２の構造体とを連結する連結方法であって、
第１の連結部の一端と第２の連結部の一端とを固着させ、第２の連結部の他端を第１の連結部の他端から所定距離の位置に配置し、
第２の連結部の突出部分が第１の連結部の方向に突出し、第１の連結部の特定の部分から第２の連結部の突出部分までの距離が第１の連結部の他端から第２の連結部の他端までの距離の１０分の１以下となるように第１の連結部と第２の連結部とを配置することを特徴とする連結方法。
【発明の詳細な説明】
【０００１】
【発明の属する技術分野】
この発明は、連結装置及び連結方法に関するものであり、例えばテレビやディスプレイ等に用いられるカラー受像管のパネル及びフレームを連結する連結装置及び連結方法に関するものである。
【０００２】
【従来の技術】
図６、図７および図８は例えば、特開昭６３−１５８７３１に記載されている従来のカラー受像管の構造およびその支持構造体部分付近の拡大図、支持構造体部分の拡大図である。これらの図において、１はパネル、２はパネル内面に設けられた蛍光体、３は電子銃、４は電子ビームの透過を許すマスク、５はファンネル、６はマスクを支持するために設けられたフレームである。
また、フレーム６は７、８からなる支持構造体を介し、パネル１に設けられたスタッドピン９に据え付けられる。ここで、７はフレームに固着された固定部で、８は板状の弾性体である。前記支持構造体は、図９または図１０のようにそれれぞれフレームの四隅または各辺の中央付近に設けられる。
【０００３】
このようなカラー受像管において、板状の弾性体を含んだＶ字またはＵ字形状の支持構造体により一方をフレームと他方をパネルと結合する場合、支持構造体を適切に設計することでフレームの熱膨張によりフレームをバルブ管軸方向に移動させるというビームランディング補正により色ずれや色むら（ミスランディングと称す）を回避することができる。
ここで、支持構造体には熱膨張率の異なるバイメタルが用いられる場合や板状弾性体の曲げ角などを最適にする場合などがある。またミスランディングは、フレーム熱膨張によってマスクを透過した電子ビームが蛍光体の適切な位置に照射されないことに起因する。またＶ字またはＵ字形状の支持構造体がフレームの辺中央付近にある場合に比べ四隅に設けられる場合は、特にフレーム熱膨張による変形の影響が少なくなる。
【０００４】
ミスランディングは、受像管に衝撃が負荷されることにより支持構造体の一部に永久変形を生じることで起きることもあるが、従来構造では支持構造体に用いられる板状部材は弾性を有するため、本体に衝撃荷重が負荷された場合にはこの弾性により衝撃をほぼ吸収できミスランディングが生じない程度に永久変形を低減することができる。
また、図１１に示す支持構造体の場合、支持構造体の先端部においてフレームから固定部が離れやすい構造になっており、さらに支持構造体全体で衝撃を吸収しやすくするような構造をとっている。また、図１２では固定部を同等の弾性体として扱い、より衝撃を緩和する設計となっている。
【０００５】
【特許文献１】
特開昭６３−１５８７３１号公報
【０００６】
【発明が解決しようとする課題】
しかしながら、テレビやディスプレイにおいて、より高輝度高鮮明な映像を期待される場合、さらに厳密にフレームを所定位置に維持する必要がある。ここで、仮に前記ビームランディング補正を正確に行うことが可能な支持構造体を設計したとしても、より強い衝撃が負荷された場合には、ほぼ完全に弾性を保って衝撃を吸収してフレーム所定位置を維持することが可能とは限らない。すなわち、支持構造体の一部に永久変形が生じ、フレームおよびスタッドピンの相対的な位置関係がずれてしまいミスランディングの原因となり得る。
【０００７】
一方、支持構造体において受像管に衝撃が負荷される場合、板状弾性体に対して曲げの方向への荷重に加え、フレームの取付面まわりに回転モーメントが負荷される。したがって、図８および図１０、図１１のような支持構造体では曲げ部Ａ〜Ｅに局所的な応力集中が生じ、この結果、板状弾性体に少なからず永久変形を生じる危険性がある。また、これらＡ〜Ｅの部分は加工および組立上ばねとしてのへたりが発生し易くなっていることもあり、衝撃による永久変形が起き易い。よって、フレームを所定位置に維持できなくなり、この結果、蛍光体の適切な位置にビームを照射できなくなり色ずれや色むらの原因となるという問題点がある。
【０００８】
この発明は上記のような問題点を解決するためになされたもので、受像管に衝撃が負荷された場合にも支持構造体の永久変形に起因するミスランディングによる色ずれや色むらを防止することを目的とする。
【０００９】
【課題を解決するための手段】
本発明に係る連結装置は、
第１の構造体と第２の構造体とを連結する連結装置であって、
第１の構造体と連結し、一端及び他端を有する第１の連結部と、
第２の構造体と連結し、一端及び他端を有し、一端と他端との間に所定の方向に突出している突出部分を有する第２の連結部とを有し、
第１の連結部の一端と第２の連結部の一端とが固着され、第２の連結部の他端が第１の連結部の他端から所定距離の位置に配置され、
第２の連結部の突出部分が第１の連結部の方向に突出し、第１の連結部の特定の部分から第２の連結部の突出部分までの距離が第１の連結部の他端から第２の連結部の他端までの距離の１０分の１以下となるように第１の連結部と第２の連結部とが配置されていることを特徴とする。
【００１０】
【発明の実施の形態】
実施の形態１．
図１はこの発明の実施の形態１に係るカラー受像管における支持構造体部分付近の拡大図を示し、図２は、支持構造体を含むカラー受像管の全体の断面図を示す。図１及び図２において、１はパネル、２はパネル内面に設けられた蛍光体、３は電子銃、４は電子ビームの透過を許すマスク、５はファンネル、６はマスクを支持するために設けられたフレームである。また、フレームは８、１０、１１からなる板状弾性体を有する支持構造体を介し、パネル１に設けられたスタッドピン９に据え付けられたものである。支持構造体において、板状弾性体８、１０からなる形状は全体としてほぼＶ字またはＵ字の折れ曲がり部を有し、その一方（板状弾性体１０）は、フレームに端面で固着された板状弾性体１１に固着され、他方（板状弾性体８）はパネル内側に固着されたスタッドピン９に結合されている。
【００１１】
本実施の形態では、パネル１が第１の構造体の例に相当し、フレーム６が第２の構造体の例に相当する。そして、板状弾性体８及び板状弾性体１０をあわせたものが連結装置の例に相当し、板状弾性体８が第１の構造体であるパネル１と連結する第１の連結部の例に相当し、板状弾性体１０が第２の構造体であるフレームと板状弾性体１１を介して連結する第２の連結部の例に相当する。
板状弾性体８は一端（図１の向かって左側の端）と他端（図１の向かって右側の端）を有し、板状弾性体１０も一端（図１の向かって左側の端）と他端（図１の向かって右側の端）を有し、板状弾性体８の一端と板状弾性体１０の一端とは固着され、板状弾性体８の他端と板状弾性体１０の他端は所定の距離を離れた位置に配置されている。また、板状弾性体１０の一端と他端との間に板状弾性体８の方向に突出した突出部分が設けられており、板状弾性体８のうちの板状弾性体１０の突出部分に最も近い部分から板状弾性体１０の突出部分までの距離が板状弾性体８の他端から板状弾性体１０の他端までの距離の１０分の１となるように構成されている。板状弾性体８のうちの板状弾性体１０の突出部分に最も近い部分から板状弾性体１０の突出部分までの距離は、具体的には１．０ｍｍ以下とし、望ましくは０．４ｍｍ以下となるようにする。
また、板状弾性体１０の一端と板状弾性体１１との間に隙間を設けており、この隙間が板状弾性体８の他端から板状弾性体１０の他端までの距離の１０分の１となるように構成されている。この隙間は、具体的には１．０ｍｍ以下とし、望ましくは０．４ｍｍ以下となるようにする。
【００１２】
前記のように構成されたカラー受像管において、受像管への衝撃荷重が負荷された場合、図４および図５のように支持構造体に比べ十分剛性の高いフレームはほぼ剛体的に移動して支持弾性体には回転モーメントが作用する。これにより支持構造体には、ばね方向への曲げとフレーム取付面まわりの捻じれが発生し、板状弾性体の斜面Ｆはほぼ平面を保ったまま曲げ部に応力集中を生じる。ある程度の大きさの衝撃力に対しては、板状弾性体８のばね性に加え支持構造体先端部Ｇと板状弾性体１１に隙間Ｈ（距離Ｋの１０分の１以下（１．０ｍｍ以下、望ましくは０．４ｍｍ以下））があることで板状弾性体１０が捻じれを緩和する働きをするが、それ以上の荷重に対しては応力集中部で弾性域を越える応力が発生してしまい永久変形の要因となる。このような状態に達する前に、板状弾性体８の斜面Ｆと板状弾性体１０の曲げ部（突出部分）Ｉが斜面Ｆの中央付近の隙間Ｊ（距離Ｋの１０分の１以下（１．０ｍｍ以下、望ましくは０．４ｍｍ以下））が狭められることにより接触し、斜面Ｆを湾曲させて板状弾性体８の斜面全体で応力分布を緩和させる。また、両者の接触により板状弾性体８および板状弾性体１０の２枚ばねとしての剛性上昇効果および摩擦によるダンパ効果がもたらされ変形を抑制する。この剛性上昇および摩擦効果については、斜面Ｆと曲げ部Ｉとが接触するのとほぼ同時に、支持構造体先端部Ｇと板状弾性体１１の隙間Ｈが埋められて接触することによっても同様の効果がある。
【００１３】
以上のように本実施の形態によれば以下に記載する効果がある。
【００１４】
本実施の形態による支持構造体を有するカラー受像管によれば、これに衝撃が負荷された場合にもパネル内側の所定位置にフレームを維持することができ、ミスランディングによる色むらや色ずれを低減できる。
【００１５】
また、フレームのパネル内側への据え付けにおいて、１つ以上の板状弾性体を有する支持構造体を設けることで、受像管に対する衝撃を吸収できる。
【００１６】
さらに、１つ以上の板状弾性体を有する支持構造体において、板状弾性体がほぼＶ字またはＵ字の角をなし加工または組み立てされたもので、その先端部とフレーム取付面側との隙間が０．０ｍｍ〜０．４ｍｍであることで支持構造体に生ずる捻じれを緩和でき、さらに先端部とフレーム取付面側とが接触することにより剛性上昇および接触によるダンパ効果により衝撃を吸収できる。
【００１７】
また、１つ以上の板状弾性体を有する支持構造体において、それらがＶ字またはＵ字の角をなし、一方の斜面部と他方の曲げ部頂点の隙間が０．０ｍｍ〜０．４ｍｍであれば、支持構造体に捻じれが生じた場合、斜面部を湾曲させ応力を緩和する効果と、２枚ばねとして剛性上昇効果、接触によるダンパ効果により衝撃を吸収することができる。
【００１８】
実施の形態２．
以上の実施の形態１では、支持構造体に捻じりが生じた場合に、支持構造体先端部Ｇと板状弾性体１１に隙間を設け、回転を逃がし支持構造体全体で衝撃力を負担するものであるが、実施の形態２における支持構造体部の拡大図を図３に示す。実施の形態２においては実施の形態１で記述した隙間Ｈをほぼ０としているが、支持構造体先端部Ｇは板状弾性体１１に固着されておらず（即ち、板状弾性体１０の一端と板状弾性体１１とが固着されることなく接触している）、捻じれが生じた場合は先端部が板状弾性体１１から離れることとなり前記とほぼ同様の捻じれの緩和効果が得られる。また板状弾性体８の斜面Ｆと板状弾性体１０の曲げ部Ｉの隙間Ｊはほぼ０であり（即ち、板状弾性体８の斜面Ｆと板状弾性体１０の突出部分が固着されることなく接触している）、衝撃が負荷される初期より板状弾性体８の斜面Ｆの湾曲による応力緩和効果および２枚ばねによる剛性上昇効果が実現される。
【００１９】
また、図１３に示すように、板状弾性体８の斜面Ｆと板状弾性体１０の曲げ部Ｉとの間の隙間Ｊを距離Ｋの１０分の１以下、即ち、１．０ｍｍ以下、望ましくは０．４ｍｍ以下にし、支持構造体先端部Ｇと板状弾性体１１との間の隙間Ｈをほぼ０にしても同様の応力緩和効果及び剛性上昇効果を実現することができる。
また、図１４に示すように、板状弾性体８の斜面Ｆと板状弾性体１０の曲げ部Ｉとの間の隙間Ｊをほぼ０にし、支持構造体先端部Ｇと板状弾性体１１との間の隙間Ｈを距離Ｋの１０分の１以下、即ち、１．０ｍｍ以下、望ましくは０．４ｍｍ以下にしても同様の応力緩和効果及び剛性上昇効果を実現することができる。
【００２０】
実施の形態３．
実施の形態１および２における板状弾性体１０と板状弾性体１１が１つの部品で形成されたものであっても前記とほぼ同様の効果を有する。
【００２１】
実施の形態４．
図１５に示すように、板状弾性体１１を介さずに板状弾性体８と板状弾性体１０がフレーム６に直接取り付けられたものであっても前記とほぼ同様の効果を有する。
【００２２】
以上の実施の形態１〜４では、カラー受像管におけるパネルとフレームとを連結する場合を例にして説明したが、本発明に係る連結装置、連結方法はこれら以外の他の構造体を連結する場合にも用いることができる。
【００２３】
【発明の効果】
本発明によれば、第１の構造体及び第２の構造体に衝撃が加わった場合でも第１の連結部及び第２の連結部が衝撃を効果的に吸収して第１の構造体及び第２の構造体を所定位置に維持することができる。
【図面の簡単な説明】
【図１】本発明の実施の形態１によるカラー受像管の支持構造部付近を示す拡大図である。
【図２】本発明の実施の形態１によるカラー受像管の断面図である。
【図３】本発明の実施の形態２によるカラー受像管の支持構造部の拡大図である。
【図４】本発明の実施の形態１によるカラー受像管に衝撃が負荷された場合の説明図である。
【図５】本発明の実施の形態１によるカラー受像管の支持構造部拡大図、および衝撃が負荷された場合における詳細説明図である。
【図６】従来のカラー受像管の断面図である。
【図７】従来のカラー受像管の支持構造部付近を示す拡大図である。
【図８】従来のカラー受像管支持構造部の拡大図である。
【図９】カラー受像管の支持方式でフレームの四隅を支持した場合の正面図である。
【図１０】カラー受像管の支持方式でフレームの辺中央付近を支持した場合の正面図である。
【図１１】従来のカラー受像管支持構造部の拡大図である。
【図１２】従来のカラー受像管支持構造部の拡大図である。
【図１３】本発明の実施の形態２によるカラー受像管の支持構造部の拡大図である。
【図１４】本発明の実施の形態２によるカラー受像管の支持構造部の拡大図である。
【図１５】本発明の実施の形態４によるカラー受像管の支持構造部の拡大図である。
【符号の説明】
１  パネル、２  蛍光体、３  電子銃、４  マスク、５  バルブ、６  フレーム、７  固定部、８  板状弾性体、９  スタッドピン、１０  板状弾性体、１１板状弾性体。
【図１】
2004192997.tif 000003
【図２】
2004192997.tif 000004
【図３】
2004192997.tif 000005
【図４】
2004192997.tif 000006
【図５】
2004192997.tif 000007
【図６】
2004192997.tif 000008
【図７】
2004192997.tif 000009
【図８】
2004192997.tif 000010
【図９】
2004192997.tif 000011
【図１０】
2004192997.tif 000012
【図１１】
2004192997.tif 000013
【図１２】
2004192997.tif 000014
【図１３】
2004192997.tif 000015
【図１４】
2004192997.tif 000016
【図１５】
2004192997.tif 000017